(57)【要約】【課題】作業者の技量や熟練度に左右されることなく一定レベルで止水でき、又施工を簡単化、迅速化でき、シールド剤の塗布量の減少、部品数の減少を図ることができるようにする。【解決手段】洗い場パン１の床面１ａを脱衣室２の床面２ａとほぼ同じ高さに形成している浴室のドア下枠取付構造であって、上記の洗い場パン１のドア下枠３に対応する箇所の立ち下げ壁１ｂに、ドア下枠取付用のホルダー４を設ける。このホルダー４の上部４ａと立ち下げ壁１ｂとで上面開口状の凹溝部６を、ドア下枠３の長手方向に延ばして形成する。ドア下枠３の浴室側を立ち下げて差込片部３ａに形成する。この差込片部３ａを、上記の凹溝部６に水密状に嵌め付けてドア下枠３を洗い場パン１と脱衣室２の床面２ａとの間に取り付ける。【選択図】      図１
2004150230.tif 000002
【特許請求の範囲】
【請求項１】
洗い場パンの床面が脱衣室の床面とほぼ同じ高さに形成されている浴室のドア下枠取付構造であって、上記の洗い場パンのドア下枠に対応する箇所の立ち下げ壁にドア下枠取付用のホルダーが設けられ、このホルダーの上部と立ち下げ壁とで上面開口状の凹溝部がドア下枠の長手方向に延びて形成され、上記のドア下枠の浴室側が立ち下げられて差込片部に形成され、この差込片部が上記の凹溝部に水密状に嵌め付けられてドア下枠が洗い場パンと脱衣室の床面との間に取り付けられていることを特徴とする浴室のドア下枠取付構造。
【請求項２】
請求項１記載の浴室のドア下枠取付構造であって、ホルダーの下部に上面開口状の溝形支持部がドア下枠の長手方向に延びて形成され、この溝形支持部に下端が差し込まれる垂下片をドア下枠が備え、ドア下枠がホルダーの溝形支持部で支持されていることを特徴とする浴室のドア下枠取付構造。
【請求項３】
請求項１又は２記載の浴室のドア下枠取付構造であって、ドア下枠の上面部が蓋状に形成され、この上面部の下側が上面部から流れ込む水を排水させるための排水用スペースに形成され、この排水用スペースの底面が洗い場パンの側に下り勾配に形成されていることを特徴とする浴室のドア下枠取付構造。
【請求項４】
請求項３記載の浴室のドア下枠取付構造であって、蓋状の上面部の洗い場パンの側に、洗い場パンの側に向かって下り勾配のスロープ部が形成されていることを特徴とする浴室のドア下枠取付構造。
【請求項５】
請求項４記載の浴室のドア下枠取付構造であって、スロープ部が洗い場パンの床面に架け渡されていることを特徴とする浴室のドア下枠取付構造。
【請求項６】
請求項５記載の浴室のドア下枠取付構造であって、スロープ部が洗い場パンの床面と勾配を一致させて架け渡されていることを特徴とする浴室のドア下枠取付構造。
【請求項７】
請求項１乃至６の何れかに記載の浴室のドア下枠取付構造であって、ドア下枠の上面部が洗い場パンの側に下り勾配の傾斜面に形成され、このドア下枠の上面部に平行状に複数形成されている引き戸案内用のレールが、ドア下枠の上面部から夫々同じ高さに形成されていることを特徴とする浴室のドア下枠取付構造。
【発明の詳細な説明】
【０００１】
【発明の属する技術分野】
本発明は、浴室のドア下枠取付構造に関し、更に詳しくはドア下枠の施工の容易化等を図ることができるよう形成した浴室のドア下枠取付構造に関するものである。
【０００２】
【従来の技術】
従来この種の構造としては、例えば下枠の浴室側の延設部を止水部材を介して浴室の床板の上面に配置し、下枠をその下方の集水枠の補強枠にビス止めすること等により、上記の延設部で止水部材の上面を弾圧するよう形成しているものがある（例えば特許文献１参照）。
【０００３】
【特許文献１】
特開２０００ー８７１６号公報
【０００４】
【発明が解決しようとする課題】
ところで浴室出入口の段差を解消したバリアフリー浴室は、ドア下枠の箇所に段差が無いため、この箇所の水漏れ防止を作業者の技量や熟練度に左右されることなく一定レベルで、しかも簡単、迅速にできるよう形成されているのが望ましい。
しかるに従来は、上記の通り、下枠を集水枠の補強枠にネジで締め付け、下枠を集水枠に引き付けて止水部材を弾圧（圧縮）し、水密性を確保する構造であったから、従来構造によると、作業者の締め付け力によって止水部材の弾圧状態が異なり、その結果シールド性にばらつきが生じる、という問題点があった。
又従来構造は、ネジを多用し、ドア下枠の取付時にネジの締付作業が現場で何回も必要になり、構成部品の数も多かったから、施工作業に手間暇がかかり、シールド剤の塗布量が多くなり易かった。
【０００５】
本発明は、このような従来技術の問題点に鑑み、提案されたものである。
従って本発明の技術的課題は、作業者の技量や熟練度に左右されることなく水密性を一定レベルで得られ、又施工を簡単化、迅速化でき、シールド剤の塗布量の減少、部品数の減少を図ることができるよう形成した浴室のドア下枠取付構造を提供することにある。
【０００６】
【課題を解決するための手段】
本発明は、上記の課題を解決するために、次のような技術的手段を採る。
【０００７】
即ち本発明は、図１等に示されるように、洗い場パン１の床面１ａが脱衣室２の床面２ａとほぼ同じ高さに形成されている浴室のドア下枠取付構造であって、上記の洗い場パン１のドア下枠３に対応する箇所の立ち下げ壁１ｂにドア下枠取付用のホルダー４が設けられ、このホルダー４の上部４ａと立ち下げ壁１ｂとで上面開口状の凹溝部６がドア下枠３の長手方向に延びて形成され、上記のドア下枠３の浴室側が立ち下げられて差込片部３ａに形成され、この差込片部３ａが上記の凹溝部６に水密状に嵌め付けられてドア下枠３が洗い場パン１と脱衣室２の床面２ａとの間に取り付けられていることを特徴とする（請求項１）。
【０００８】
本発明の場合、ホルダー４は、例えばポリエチレン等の樹脂材や、ステンレス鋼等の金属材で形成される。又ドア下枠３は、差込片部３ａが凹溝部６から振動等で外れることがないよう、抜脱防止用の手段が講じられているのが良い。具体的には、例えばホルダー４の上部４ａの内面適宜位置と、これに対応する差込片部３ａの位置に、引っ掛かり用の返し部４ａ１と、これに係合する段差部３ａ１が形成されることで達成される。
【０００９】
又本発明は、ホルダー４の下部に上面開口状の溝形支持部４ｂがドア下枠３の長手方向に延びて形成され、この溝形支持部４ｂに下端が差し込まれる垂下片３ｂをドア下枠３が備え、ドア下枠３がホルダー４の溝形支持部４ｂで支持されているのが好ましい（請求項２）。
【００１０】
なぜならこれによると、支持用の部材を別個に手当てする煩雑さを解消でき、又ドア下枠３の支持を安定化できるからである。
【００１１】
又本発明は、図３に示されるように、ドア下枠３の上面部３ｄが蓋状に形成され、この上面部３ｄの下側が上面部３ｄから流れ込む水を排水させるための排水用スペースＳに形成され、この排水用スペースＳの底面Ｓ１が洗い場パン１の側に下り勾配に形成されているのが好ましい（請求項３）。
【００１２】
なぜならこれによると、ドア下枠３の上面部３ｄが濡れても、排水用スペースＳを利用して排水でき、脱衣室２の床面２ａを濡らすことがないからである。
【００１３】
又本発明は、蓋状の上面部３ｄの洗い場パン１の側に、洗い場パン１の側に向かって下り勾配のスロープ部１０が形成されているのが好ましい（請求項４）。
【００１４】
なぜならこれによると、スロープ部１０で洗い場パン１の床面１ａとの段差を解消でき、躓くことなく、より安全に出入りできるからである。
【００１５】
又この場合本発明は、スロープ部１０が洗い場パン１の床面１ａに架け渡されているのが好ましい（請求項５）。
【００１６】
なぜならこれによると、ドア下枠３と洗い場パン１との接続箇所をスロープ部１０で隠すことができ、体裁が良くなり、又この接続箇所の掃除の手間暇を軽減できるからである。
【００１７】
又この場合本発明は、スロープ部１０が洗い場パン１の床面１ａと勾配を一致させて架け渡されているのが好ましい（請求項６）。
【００１８】
なぜならこれによると、スロープ部１０と洗い場パン１との連続性、一体性が高まり、入浴者に出入口の段差を感じさせない浴室を提供できるからである。
【００１９】
又本発明は、図１、図７に示されるように、ドア下枠３の上面部３ｄが洗い場パン１の側に下り勾配の傾斜面に形成され、このドア下枠３の上面部３ｄに平行状に複数形成されている引き戸案内用のレール９が、ドア下枠３の上面部３ｄから夫々同じ高さＨに形成されているのが好ましい（請求項７）。
【００２０】
なぜならこの場合は、上面部３ｄからのレール９の高さＨが同じであるから、レール９の上端の位置が同じ水平線位置に揃えられる場合に比べ、上面部３ｄの段差を解消できるからである。
【００２１】
【発明の実施の形態】
以下、本発明の好適な一実施形態を添付図面に従って説明する。
【００２２】
図１等において、１は洗い場パンであり、２は脱衣室である。洗い場パン１の床面１ａは、脱衣室２の床面２ａとほぼ同じ高さに形成されている。３は、洗い場パン１と脱衣室２の床面２ａとの間に取り付けられているドア下枠である。
【００２３】
４は、ドア下枠取付用のホルダーである。このホルダー４は、洗い場パン１のドア下枠３に対応する箇所の立ち下げ壁１ｂに設けられている。ホルダー４は、例えば樹脂材で形成され、ネジ５でパッキン７ａを介して立ち下げ壁１ｂに固定されている。本発明は、このホルダー４の上部４ａと、上記の立ち下げ壁１ｂとで上面開口状の凹溝部６が、ドア下枠３の長手方向に延びて形成されている。
【００２４】
又上記のドア下枠３の浴室側は、立ち下げられて差込片部３ａに形成されている。この差込片部３ａは、ホルダー４の上部４ａの復元性を利用して上記の凹溝部６に水密状に嵌め付けられるものである。この実施形態では、差込片部３ａがクランク形に屈曲形成されると共に、ホルダー４の上部４ａの上端内側が肉厚状に形成されて引っ掛かり用の返し部４ａ１に形成され、差込片部３ａにこの返し部４ａ１と係合する段差部３ａ１が形成されている。又差込片部３ａに対応する立ち下げ壁１ｂの位置に、止水部材７としてのパッキンが配置され、凹溝部６に差込片部３ａが嵌め付けられると、このパッキンが圧縮して凹溝部６が密封されるよう形成されている。なおドア下枠３の脱衣室２側の端部３ｃは、脱衣室２の床面２ａに載置されている。
【００２５】
又上記のホルダー４は、その下部に、上面開口状の溝形支持部４ｂがドア下枠３の長手方向に延びて形成されている。ドア下枠３は、この溝形支持部４ｂに下端が差し込まれる垂下片３ｂを備え、この垂下片３ｂが溝形支持部４ｂに差し込まれてホルダー４に支持され、洗い場パン１と脱衣室２の床面２ａとの間に取り付けられている。なお８は、引き戸である。又９は、この引き戸８を案内するためドア下枠３の上面部３ｄに形成されているレールである。
【００２６】
次にドア下枠３の施工例を説明する。
【００２７】
先ず作業者は、ホルダー４を立ち下げ壁１ｂにネジ５で止め付ける。このホルダー４の取付作業は、現場での負担を減らすため、予め洗い場パン１等の出荷段階において工場内で行われるのでも良い。次に作業者は、現場で洗い場パン１を据え付けた後、ホルダー４の凹溝部６に、ドア下枠３の差込片部３ａを上方から差し込み、垂下片３ｂの下端を溝形支持部４ｂに差し込む。この場合作業者は、止水部材７としてのパッキンを、差込片部３ａと洗い場パン１の立ち下げ壁１ｂとの間に適宜配置する。この止水部材７としてのパッキンは、ホルダー４と同様に、現場での取付作業の手間暇を軽減できるよう、工場の出荷段階で予め洗い場パン１、又は差込片部３ａの適宜箇所に取り付けて置くのでも良い。
【００２８】
而して差込片部３ａが凹溝部６に差し込まれると、ホルダー４の上部４ａが一旦外側に反り返り、次に復元して差込片部３ａが凹溝部６に嵌め付けられる。これにより差込片部３ａが、止水部材７としてのパッキンを洗い場パン１の立ち下げ壁１ｂに圧縮させ、この箇所が止水される。ドア下枠３は、脱衣室２側の端部３ｃが脱衣室２の床面２ａに載置され、洗い場パン１と脱衣室２の床面２ａとの間に段差が無い状態に取り付けられる。
【００２９】
以上の処において、本発明は、図３に示されるように、ドア下枠３の上面部３ｄが蓋状に形成され、この上面部３ｄの下側が上面部３ｄから流れ込む水を排水させるための排水用スペースＳに形成され、この排水用スペースＳの底面Ｓ１が洗い場パン１の側に下り勾配に形成されているのでも良い。この本発明の場合は、ドア下枠３の上面部３ｄが濡れたとき、排水用スペースＳを利用して排水できる。
【００３０】
又本発明は、図３、図５、図６に示されるように、蓋状の上面部３ｄの洗い場パン１の側に、洗い場パン１の側に向かって下り勾配のスロープ部１０が形成されているのでも良い。このスロープ部１０は、図３、図５に示されるように、上面部３ｄと一体状に形成されるのでも、或いは図６に示されるように、上面部３ｄと別個に形成されているのでも良い。なお図１、図３、図５に示される実施形態は、引き戸８が３枚の場合であり、図６の実施形態は引き戸８が１枚の片引き戸の場合である。本発明の場合、ドアの種類は任意であり、引き戸８に限定されるものではない。なお図３等において、３ｄ１は、上面部３ｄから排水用スペースＳに水を落下させるための孔である。この孔３ｄ１から排水用スペースＳに流れ込んだ水は、排水用スペースＳの底面Ｓ１を伝わって洗い場パン１の側に流れ、ドア下枠３の前部の適宜箇所に形成されている排水箇所から洗い場パン１に排水される。
【００３１】
又スロープ部１０が形成される場合は、図３、図４に示されるように、スロープ部１０の先端１０ａを洗い場パン１の床面１ａの段差に突き当て、スロープ部１０と洗い場パン１の床面１ａの勾配を一致させ、洗い場パン１の床面１ａに架け渡して形成するのが良い。図４において、１ｃは洗い場パン１の床面１ａに形成されている排水溝である。
【００３２】
又本発明は、ドア下枠３が引き戸用のレール９を複数備えて形成されている場合は、図１、図７に示されるように、レール９による段差を解消できるよう形成されているのが良い。即ちこの本発明は、ドア下枠３の上面部３ｄが洗い場パン１の側に下り勾配の傾斜面に形成され、このドア下枠３の上面部３ｄに平行状に複数形成されている引き戸案内用のレール９が、ドア下枠３の上面部３ｄから夫々同じ高さＨ（図７参照）に形成されているものである。なおレール９の高さＨは、この実施形態では３ｍｍに選定されている。
【００３３】
【発明の効果】
以上説明したように本発明は、ドア下枠の差込片部を、ホルダーと洗い場パンの立ち下げ壁とが作る凹溝部に水密状に嵌め付けてドア下枠を取り付けるものである。
従って本発明の場合は、ネジを多用することなく簡単、迅速に取り付けでき、洗い場パンとドア下枠の接合箇所を、作業者の技量、熟練度に左右されることなく、一定のレベルで止水できる。又本発明によると、部品数が少なくて済み、接続箇所が減少する分、シールド剤の塗布量を減らすことができる。
【図面の簡単な説明】
【図１】本発明構造の好適な一実施形態を示す一部を切欠した要部縦断面図である。
【図２】同上構造の要部分解斜視図である。
【図３】同上構造の他の実施形態を示す一部を切欠した要部縦断面図である。
【図４】図３の実施形態の要部斜視図である。
【図５】スロープ部が設けられている他の実施形態の要部縦断面図である。
【図６】スロープ部が設けられている更に他の実施形態の要部縦断面図である。
【図７】同じ高さのレールが設けられている実施形態の要部縦断面図である。
【符号の説明】
１    洗い場パン
１ａ  床面
１ｂ  立ち下げ壁
２    脱衣室
２ａ  床面
３    ドア下枠
３ａ  差込片部
４    ホルダー
４ａ  上部
６    凹溝部
【図１】
2004150230.tif 000003
【図２】
2004150230.tif 000004
【図３】
2004150230.tif 000005
【図４】
2004150230.tif 000006
【図５】
2004150230.tif 000007
【図６】
2004150230.tif 000008
【図７】
2004150230.tif 000009